(57)【特許請求の範囲】
【請求項１】
扉又は引戸の開放量を半開き状態に制限し、あるいは扉又は引戸の内締りを行うために、基端側が扉若しくは引戸又は固定部材に取り付けられるチェン、連結杆その他の連結体における先端の差込み片を選択的に係着する着脱装置であって、固定部材又は扉若しくは引戸に、連結体の差込み片が挿通される溝部を設けた中空の枠体を固定し、この枠体内に挿入される連結体の先端部の近傍に、扉若しくは引戸面に垂直な回転出力軸を有し、この回転出力軸に連結体の先端部とほぼ平行に延在する係止腕を固設したロータリーソレノイドを設け、このロータリーソレノイドの回転出力軸を、内蔵するばねにより、非通電時に係止腕の先端に形成された突片が枠体内に挿入された連結体に形成された係合凹部に嵌まり込む方向に付勢し、一方、上記連結体の差込み片の先端に斜面を形成し、ロータリーソレノイドの非通電時、差込み片を枠体内に挿入するとき、斜面と係着位置にある係止腕の突片との係合によって生じる楔作用により、突片を差込み片から離間する方向に押動し、更に差込み片が枠体内に進入したとき係止腕の突片と係合凹部とが係合するようにし、他方、ロータリーソレノイドの通電時、内蔵するばねの弾力に抗して、係止腕をその突片が差込み片の係合凹部から離間する解除位置に迄駆動し、以て連結体を解放するようにしたことを特徴とする着脱装置。
【発明の詳細な説明】
【０００１】
【発明の属する技術分野】
この発明は、扉又は引戸の開放量を半開き状態に制限し、あるいは扉又は引戸の内締りを行うために、基端側が扉若しくは引戸又は固定部材に取り付けられるチェン、連結杆その他の連結体における先端の差込み片を選択的に係着させる着脱装置に関する。
【０００２】
【従来の技術】
従来のこの種の着脱装置としては、本出願人によって出願され、特開平６−２４８８３４号として公開されたものを挙げることができる。
【０００３】
その着脱装置は、扉又は引戸の開放量を半開き状態に制限し、あるいは扉又は引戸の内締りを行うために、基端側が扉若しくは引戸又は固定部材に取り付けられるチェン、連結杆その他の連結体の先端部を選択的に係着する着脱装置であって、固定部材又は扉若しくは引戸に固定される中空の枠体に、連結体の先端部が挿通される溝部を設けると共に、連結体の挿通方向とほぼ直角をなす方向において該溝部内に突出する方向に付勢させた係止杆を設け、係止杆は枠体内で長さ方向に摺動可能に案内すると共に、軸線の回りに回動可能に支承し、係止杆の先端部分には、連結体の先端部に設けた係着孔に対し該係止杆の先端部分を係入又は離脱させる際に、係止杆との楔作用によりこれを没入方向に押圧誘導させる傾斜面を形成し、一方、前記係止杆を所定角度回動させるために、枠体内にロータリーソレノイドを設けて成るものである。
【０００４】
そして、同装置によれば、連結体の先端部（差込み片）を単に枠体の溝部に差し込むだけで、ロータリーソレノイドを作動させることなくワンタッチで簡単に係着させることができ、また、非常時は室外から電磁的に容易に連結体の係着状態を解除させることができるなどの利点を有する。
【０００５】
ところが、同装置は、構造がかなり複雑であること、取付面からの高さが比較的大きく出入口の通行において邪魔になることがあることなど、なお解決すべき問題点も有している。
【０００６】
【発明が解決しようとする課題】
この発明の着脱装置は、従来の着脱装置が持つ利点を失うことなく、構造を簡単にすること及び取付面からの装置全体としての高さを小さくすることを目的として提案されたものである。
【０００７】
【課題を解決するための手段】
上記の目的を達成するため、この発明は、扉又は引戸の開放量を半開き状態に制限し、あるいは扉又は引戸の内締りを行うために、基端側が扉若しくは引戸又は固定部材に取り付けられるチェン、連結杆その他の連結体における先端の差込み片を選択的に係着する着脱装置であって、固定部材又は扉若しくは引戸に、連結体の差込み片が挿通される溝部を設けた中空の枠体を固定し、この枠体内に挿入される連結体の先端部の近傍に、扉若しくは引戸面に垂直な回転出力軸を有し、この回転出力軸に連結体の先端部とほぼ平行に延在する係止腕を固設したロータリーソレノイドを設け、このロータリーソレノイドの回転出力軸を、内蔵するばねにより、非通電時に係止腕の先端に形成された突片が枠体内に挿入された連結体に形成された係合凹部に嵌まり込む方向に付勢し、一方、上記連結体の差込み片の先端に斜面を形成し、ロータリーソレノイドの非通電時、差込み片を枠体内に挿入するとき、斜面と係着位置にある係止腕の突片との係合によって生じる楔作用により、突片を差込み片から離間する方向に押動し、更に差込み片が枠体内に進入したとき係止腕の突片と係合凹部とが係合するようにし、他方、ロータリーソレノイドの通電時、内蔵するばねの弾力に抗して、係止腕をその突片が差込み片の係合凹部から離間する解除位置に迄駆動し、以て連結体を解放するようにしたことを特徴とする。
【０００８】
【発明の実施の形態】
以下、図面に示す３つの実施例に基いて、この発明について説明する。
図面において、図１〜図４は第１実施例を、図５は第２実施例を、図６は第３実施例を、それぞれ示している。
【０００９】
第１実施例を表す図１〜図４において、符号１０は扉、２０は扉枠や壁面等の固定部材、Ａは扉１０の開閉方向、１は固定部材２０にねじ９１で固定される着脱装置の全体、２は扉１０の開放量（開放角度）を制限するチェン、２１はチェン２の先端部をなす差込み片、３はチェン２の基端側２２が取り付けられねじ９２で扉１０に固定される取付片、３１は取付片３の下部に一体に設けられたチェン不使用時の掛け止め突片をそれぞれ示す。
【００１０】
着脱装置１の各機構が収められる中空の枠体４は、角筒状又は円筒状など任意形状に作られた蓋部分４１と底板４２とから成る。蓋部分４１と底板４２とは、蓋部分４１の隅角部においてねじ９３で結合してある。
【００１１】
前記の中空枠体４の頂部には肉厚部が設けてあって、その部分にチェン２の先端部を形成する差込み片２１が矢印Ｂ方向に嵌め外し可能に挿通される溝部４３を設ける。
【００１２】
溝部４３の内面及び枠体４の内壁の一部は、差込み片２１が矢印Ｂのように差し込まれる時、その差込み片２１の案内とされる。
【００１３】
枠体４内における底板４２上にはロータリーソレノイド５がねじ等により固定されている。
【００１４】
ロータリーソレノイド５の例えば３０°の角度範囲を回動できるようにした回転出力軸５１には、先端に係合用の突片６１を有する係止腕６の基端がねじ止め等により固定してある。
【００１５】
この係止腕６は、周知のようにロータリーソレノイド５に内蔵された復帰ばねにより、非通電時は係着位置（図２又は図３の実線で示す位置）を占めるようにしてあり、また、ロータリーソレノイド５に対する通電時は該係止腕６と溝部４３に差し込まれた差し込み片２１との係合が解かれる解除位置（図３の鎖線で示す位置）を占めるようにしてある。
【００１６】
チェンその他の連結体２における先端の差込み片２１は、矢印Ｂ方向（図２参照）に向けた差込み操作時に係止腕６の突片６１が誘導案内される斜面２３及びその係着時に係止腕６の突片６１が嵌まり込む係合凹部２４を備えている。
【００１７】
図示例の平板状をなす差込み片２１においては、それが表裏の別なく用いることができるように、前記の斜面２３及び係合凹部２４はそれぞれ両側に対をなすようにして設けてあるが、それら２３、２４は片側に１個ずつ設ければ足りる。
【００１８】
第１実施例の着脱装置において、図２に示す非係着時の状態で、係止腕６はその突片６１がロータリーソレノイド５内のばねの付勢力により差込み片２１の挿入通路内に臨む係着位置を占めている。
【００１９】
そして、チェンその他の連結体２の差込み片２１を手指で掴んで矢印Ｂで示すように枠体４の溝部４３に差し込み、そのまま押し込んで行くと、差込み片２１の先端の斜面２３が係止腕６の突片６１に当接し、この斜面２３と突片６１との相対移動に起因する楔作用により、ロータリーソレノイド５内のばねに抗して係止腕６が一旦右回りに少し揺動される。
【００２０】
そして、前記の差込み片２１が更に押し込まれると、図３に示すように、その係合凹部２４が係止腕６の突片６１の位置に至り、両者は互に嵌まり合うことになる。
【００２１】
要するに、係止腕６は当初の係着位置に戻ることになり、差込み片２１は係止腕により抜き出し不能に係止されることになる。
【００２２】
換言すれば、差込み片２１にこれを枠体４から抜き外すように作用する力は、係合凹部２４と突片６１との係合を介して係止腕６の長さ方向に作用し、結局ロータリーソレノイド５の回転出力軸５１に担持される。
【００２３】
この係止状態においては、扉１０はその開放がチェンその他の連結体２の長さによって制限され、半開き状態に拘束できることになる。
【００２４】
非常時には、扉１０の外側、すなわち室外側において、カードリーダー、暗証符号入力盤、隠し釦等の図示しない操作手段でスイッチを操作してロータリーソレノイド５に通電させる。
【００２５】
ロータリーソレノイド５に対する通電により、図３に示すように、回転出力軸５１の右回りの回動に伴って係止腕６が鎖線で示す解除位置に至ると、係止腕６と差込み片２１との係合が解かれるので、扉１０を外側から押し引きすれば差込み片２１は枠体４の溝部４３から引き抜かれ、扉１０の開放は自由に行えるようになる。
【００２６】
次に、図５の第２実施例及び図６の第２実施例について説明する。
第２及び第３実施例では、連結体２として第１実施例のチェンに代えて棒状の連結杆が用いられている点が第１実施例とは相違している。それらの例において連結杆２と差込み片２１とは一体をなしている。
【００２７】
両実施例における連結杆２は、矢印Ｃ方向に開閉される引戸１０の室内側にねじ９２で固定された取付片３に保持されつつ横方向に摺動できるようにしてあり、先端部２１が着脱装置１に対し必要に応じて係着されることは第１実施例と同様であり、基端側２２にはストッパ２５が設けてある。
【００２８】
符号２６は、連結杆２に固定された操作用のつまみで、取付片３の正面の長孔３２内で水平方向に移動される。
【００２９】
第２実施例（図５）の連結杆２は、第３実施例（図６）のそれよりも十分長く作られており、着脱装置１に対する係着状態で引戸１０の半開き状態の開放を許容する。
【００３０】
他方、第３実施例（図６）の連結杆２は錠止片として作用して内締り機能を呈するもので、着脱装置１に対する係着状態では引戸１０は閉止されたままで半開き機能は呈することはできない。
【００３１】
なお、第１実施例〜第３実施例においては、着脱装置１はいずれも扉枠等の固定部材２０側に固定し、連結体２を扉又は引戸１０側に取り付けた例を示しているが、逆にして、着脱装置１を扉又は引戸１０側に連結体２を固定部材２０側に装着してもよいとすることはもちろんである。
【００３２】
なお、平常時において、連結体２の係着状態からの解放は、室内側に設けたスイッチ等の操作手段でロータリーソレノイド５に通電して行うことは言うまでもない。
【００３３】
【発明の効果】
以上に説明したこの発明の着脱装置は、チェンその他の連結体の手指による係着が簡単であり、また、非常時は室外側から連結体の係着状態を解除させることができるものであるに関わらず、連結体の差込み片とロータリーソレノイドとの間に従来装置における摺動かつ回動可能な係止杆のような間接部材を要しないので、全体の構造が簡単となるばかりでなく、取付面からの突出高さを小さくすることができるなどの効果を奏する。
【図面の簡単な説明】
【図１】この発明の着脱装置の第１実施例の使用態様を示す正面図。
【図２】その着脱装置の非係着状態における拡大部分縦断正面図。
【図３】その着脱装置の係着状態における拡大部分縦断正面図。
【図４】図２のＩＶ−ＩＶ線によるその拡大横断側面図。
【図５】この発明の着脱装置の第２実施例の使用態様を示す正面図。
【図６】この発明の着脱装置の第３実施例の使用態様を示す正面図。
【符号の説明】
１０  扉又は引戸
２０  固定部材
２  連結体
２１  差込み片
２３  斜面
２４  係合凹部
４  枠体
４３  溝部
５  ロータリーソレノイド
５１  回転出力軸
６  係止腕
６１  突片
【図１】
0003773309.tif 000002
【図２】
0003773309.tif 000003
【図３】
0003773309.tif 000004
【図４】
0003773309.tif 000005
【図５】
0003773309.tif 000006
【図６】
0003773309.tif 000007